(57)【要約】【課題】従来よりも短時間で信号再生に移ることが可能なディスク再生装置を提供する。【解決手段】本発明に係るディスク再生装置は、光ピックアップの出力信号に基づいて作成されるフォーカスエラー信号を増幅する増幅回路と、該増幅回路のゲインを最適値に調整する制御回路とを具えている。該制御回路は、増幅回路に所定のゲイン指令値を供給することによって増幅回路のゲインを所定値に設定した後、ゲインが所定値に設定されている状態でフォーカスサーチを実行して、フォーカスエラー信号のＳ字波形の最大振幅値を検出し、前記所定のゲイン指令値と検出した最大振幅値とに基づいて、目標とする振幅値に応じたゲイン指令値を算出する。その後、制御回路は、算出したゲイン指令値を増幅回路に供給することによって、該ゲイン指令値に応じた値をゲイン調整処理におけるゲインの初期値として設定する。【選択図】      図４
2004234789.tif 000002
【特許請求の範囲】
【請求項１】
記録密度の異なる複数種類の光ディスクを再生することが可能であって、前記複数種類の光ディスクに対応して波長の異なる複数種類のレーザ光を出力することが可能な光ピックアップと、光ピックアップの出力信号に基づいて作成されるフォーカスエラー信号を増幅する増幅回路と、光ピックアップ及び増幅回路の動作を制御する制御回路とを具えたディスク再生装置において、該制御回路は、
光ピックアップの出力を前記複数種類のレーザ光の内、何れか１種類のレーザ光に切り換えるレーザ切換え手段と、
前記増幅回路に所定のゲイン指令値を供給することによって、増幅回路のゲインを所定値に設定するゲイン設定手段と、
前記ゲインが所定値に設定されている状態で、光ピックアップの合焦点を探索するためのフォーカスサーチを実行して、フォーカスエラー信号のＳ字波形の振幅値を検出する振幅値検出手段と、
前記検出された振幅値と所定の閾値とを比較することによって、光ディスクの種類を判別するディスク判別手段
とを具えていることを特徴とするディスク再生装置。
【請求項２】
記録層の個数が異なる複数種類の光ディスクを再生することが可能であって、前記振幅値検出手段は、フォーカスエラー信号のＳ字波形の最大振幅値を検出し、前記ディスク判別手段は、最大振幅値の個数に基づいて光ディスクの種類を判別する請求項１に記載のディスク再生装置。
【請求項３】
前記制御回路は、前記ゲインを最適値に調整するゲイン調整手段を具え、前記ディスク判別手段によってディスクの種類を判別した後、ゲイン調整手段によって前記ゲインを調整するものであって、前記振幅値検出手段は、フォーカスエラー信号のＳ字波形の最大振幅値を検出し、前記ゲイン調整手段は、
前記所定のゲイン指令値と振幅値検出手段によって検出された最大振幅値とに基づいて、目標とする振幅値に応じたゲイン指令値を算出する手段と、
算出されたゲイン指令値を前記増幅回路に供給することによって、該ゲイン指令値に応じた値をゲイン調整処理におけるゲインの初期値として設定する手段
とを具えている請求項１又は請求項２に記載のディスク再生装置。
【請求項４】
光ピックアップの出力信号に基づいて作成されるフォーカスエラー信号を増幅する増幅回路と、該増幅回路のゲインを最適値に調整する制御回路とを具えたディスク再生装置において、該制御回路は、
前記増幅回路に所定のゲイン指令値を供給することによって、増幅回路のゲインを所定値に設定するゲイン設定手段と、
前記ゲインが所定値に設定されている状態で、光ピックアップの合焦点を探索するためのフォーカスサーチを実行して、フォーカスエラー信号のＳ字波形の最大振幅値を検出する振幅値検出手段と、
前記所定のゲイン指令値と前記検出された最大振幅値とに基づいて、目標とする振幅値に応じたゲイン指令値を算出する演算処理手段と、
前記算出されたゲイン指令値を前記増幅回路に供給することによって、該ゲイン指令値に応じた値をゲイン調整処理におけるゲインの初期値として設定する初期値設定手段
とを具えていることを特徴とするディスク再生装置。
【請求項５】
複数の記録層を有する光ディスクを再生することが可能であって、前記制御回路は、各記録層を対象として前記ゲイン調整処理を実行するものであり、前記演算処理手段は、１つの記録層を対象とするゲイン調整処理において、他の記録層を対象とするゲイン調整処理において増幅回路に供給されたゲイン指令値とゲイン調整処理の対象となっている記録層について検出された最大振幅値とに基づいて目標振幅値に応じたゲイン指令値を算出する請求項４に記載のディスク再生装置。
【発明の詳細な説明】
【０００１】
【発明の属する技術分野】
本発明は、ＣＤやＤＶＤ等の光ディスクから信号を再生することが可能なディスク再生装置に関するものである。
【０００２】
【従来の技術】
従来、ＣＤには、音楽用ＣＤ、ＣＤ−Ｒ及びＣＤ−ＲＷ等、種々のＣＤが存在し、ＤＶＤには、片面に１つの記録層を有するＤＶＤ−Ｖｉｄｅｏ、ＤＶＤ−Ｒ、ＤＶＤ−ＲＷ、及び片面に２つの記録層を有するＤＶＤ−Ｖｉｄｅｏ等、種々のＤＶＤが存在する。これら異なる種類の光ディスクを互換性をもって再生するためには、先ず、何れの光ディスクであるかを判別する必要がある。
そこで、出願人は、光ピックアップの合焦点を探索するためのフォーカスサーチを実行して、フォーカスエラー信号のＳ字波形の振幅値に基づいてディスクの種類を判別する方法を出願中である（特許文献１及び特許文献２参照）。
【０００３】
又、ＣＤやＤＶＤには、反射率の高いものと低いものとが存在する。例えば、上述のＣＤの内、音楽用ＣＤ及びＣＤ−Ｒは反射率が高く、ＣＤ−ＲＷは反射率が低い。一方、上述のＤＶＤの内、ＤＶＤ−Ｒ及び１つの記録層を有するＤＶＤ−Ｖｉｄｅｏは反射率が高く、ＤＶＤ−ＲＷ及び２つの記録層を有するＤＶＤ−Ｖｉｄｅｏは反射率が低い。
そこで、従来のディスク再生装置においては、システムの起動時に、フォーカスエラー信号のＳ字波形の振幅値を変化させるためのゲインを最大振幅値（以下、Ｓ字ピーク値という）が規定値となる最適値に調整する処理（以下、ＳＧＣ（Ｓｅｒｖｏ  Ｇａｉｎ  Ｃｏｎｔｒｏｌ）調整処理、このときのゲインをＳＧＣゲインという）を行なうこととしている。
【０００４】
図１３乃至図１５は、従来のディスク再生装置の起動時に実行されるディスク判別及びＳＧＣ調整の手続きを表わしている。尚、光ピックアップは、ＣＤに照射すべき赤色レーザ光を発するＣＤレーザと、ＤＶＤに照射すべき赤色レーザ光を発するＤＶＤレーザとを具えている。
装置本体に電源が投入されると、先ずフォーカスオフセット調整が行なわれ、このフォーカスオフセット調整が終了すると、ステップＳ６１にてＣＤレーザをオンに設定した後、ステップＳ６２にてＳＧＣゲインを所定値ＣＤＧｊに設定する。続いてステップＳ６３では、フォーカスサーチを実行して、フォーカスエラー信号のＳ字波形に現れる１つのＳ字ピーク値ｐｋ０を検出した後、ステップＳ６４にてＣＤレーザをオフに設定する。
【０００５】
次にステップＳ６５にてＤＶＤレーザをオンに設定した後、ステップＳ６６にてＳＧＣゲインを所定値ＤＶＤＧｊに設定し、ステップＳ６７では、フォーカスサーチを実行して、フォーカスエラー信号のＳ字波形に現れる第１及び第２のＳ字ピーク値ｐｋ１、ｐｋ２を検出する。
【０００６】
次にステップＳ６８では、第２Ｓ字ピーク値ｐｋ２が０よりも大きいか否かを判断する。２つの記録層を有するＤＶＤ（以下、２層ＤＶＤという）に対しＤＶＤレーザを照射してフォーカスサーチを行なった場合には、２つの記録層に対応して、フォーカスエラー信号のＳ字波形に図１６に示す如く２つのＳ字ピーク値ｐｋ１、ｐｋ２が現れて、第２Ｓ字ピーク値ｐｋ２は０よりも大きくなる。従って、第２Ｓ字ピーク値ｐｋ２が０より大きい場合には、ステップＳ６９に移行して、光ディスクは２層ＤＶＤであると判定した後、図１４に示すＳＧＣ調整処理に移行する。
【０００７】
これに対し、１つの記録層を有するＤＶＤ（以下、単層ＤＶＤという）、或いはＣＤに対しＤＶＤレーザを照射してフォーカスサーチを行なった場合には、フォーカスエラー信号のＳ字波形に１つのＳ字ピーク値が現れ、ステップＳ６８にてノーと判断されてステップＳ７０に移行する。ステップＳ７０では、ＣＤレーザのオン時に検出したＳ字ピーク値ｐｋ０とＤＶＤレーザのオン時に検出した第１Ｓ字ピーク値ｐｋ１を比較する。
ＤＶＤに対しＤＶＤレーザを照射してフォーカスサーチを行なった場合には、フォーカスエラー信号のＳ字波形は、振幅の大きなものとなる一方、ＤＶＤに対しＣＤレーザを照射してフォーカスサーチを行なった場合には、フォーカスエラー信号のＳ字波形は、大幅に振幅の小さなものとなる。従って、ＤＶＤレーザのオン時に検出された第１Ｓ字ピーク値ｐｋ１がＣＤレーザのオン時に検出されたＳ字ピーク値ｐｋ０よりも大きい場合には、ステップＳ７１に移行して、光ディスクは単層ＤＶＤであると判定した後、図１４に示すＳＧＣ調整処理に移行する。
一方、ＣＤレーザのオン時に検出されたＳ字ピーク値ｐｋ０がＤＶＤレーザのオン時に検出されたＳ字ピーク値ｐｋ１よりも大きい場合には、ステップＳ７２に移行して、光ディスクはＣＤであると判定した後、図１５に示すＳＧＣ調整処理に移行する。
【０００８】
光ディスクが２層ＤＶＤ或いは単層ＤＶＤであると判定された後のＳＧＣ調整処理においては、図１４に示す如く、先ずステップＳ７３にて、１つの記録層についてＳＧＣゲインの最適値を検索してＳＧＣゲインを該最適値に設定する処理を実行すると共に、ＳＧＣゲインが最適値に設定されている状態でフォーカスサーチを実行して、フォーカスエラー信号のＳ字波形に現れる第１及び第２のＳ字ピーク値ｐｋ１′ｐｋ２′を検出する。
続いてステップＳ７４では、第２Ｓ字ピーク値ｐｋ２′が０よりも大きいか否かを判断する。ここでノーと判断された場合には、ステップＳ７５にて光ディスクは単層ＤＶＤであると判定した後、手続きを終了する。その後、フォーカスイン動作を実行した後、単層ＤＶＤの再生動作の開始に待機する。
一方、前記第２Ｓ字ピーク値ｐｋ２′が０よりも大きく、ステップＳ７４にてイエスと判断された場合には、ステップＳ７６に移行して、光ディスクは２層ＤＶＤであると判定した後、ステップＳ７７にてＳＧＣゲインを上述の所定値ＤＶＤＧｊに設定し、次にステップＳ７８では、ステップＳ７３にてＳＧＣゲインを最適値に設定した記録層とは異なる他方の記録層についてＳＧＣゲイン調整処理を実行して、手続きを終了する。その後、フォーカスイン動作を実行した後、２層ＤＶＤの再生動作の開始に待機する。
【０００９】
ＣＤと判定された後のＳＧＣ調整処理においては、図１５に示す如く、先ずステップＳ７９にてＤＶＤレーザをオフに設定した後、ステップＳ８２にてＣＤレーザをオンに設定する。続いてステップＳ８１では、ＳＧＣゲインを上述の所定値ＣＤＧｊに設定した後、ステップＳ８２にてＳＧＣゲインの最適値を検索してＳＧＣゲインを該最適値に設定する処理を実行し、手続きを終了する。その後、フォーカスイン動作を実行した後、ＣＤの再生動作の開始に待機する。
【００１０】
【特許文献１】
特開平１１−６６７１２号公報
【特許文献２】
特願２００２−００２４４４
【００１１】
【発明が解決しようとする課題】
しかしながら、従来のディスク再生装置においては、ＣＤレーザとＤＶＤレーザを順次オンに切り換えて、各レーザのオン時にフォーカスサーチを行なった後にディスクの判別を行なっていたため、ディスクの判別に長い時間がかかっていた。又、ＳＧＣ調整処理においては、ＳＧＣゲインの初期値をディスク判別時と同じ所定値に設定していたため、最適値が初期値から遠く離れている場合があり、かかる場合には、最適値の検索に長い時間がかかってＳＧＣゲインの調整に時間がかかっていた。このため、システムの起動に長い時間がかかっていた。
本発明の目的は、従来よりも短時間で信号再生に移ることが可能なディスク再生装置を提供することである。
【００１２】
【課題を解決する為の手段】
本発明に係る第１のディスク再生装置は、記録密度の異なる複数種類の光ディスクを再生することが可能であって、前記複数種類の光ディスクに対応して波長の異なる複数種類のレーザ光を出力することが可能な光ピックアップと、光ピックアップの出力信号に基づいて作成されるフォーカスエラー信号を増幅する増幅回路と、光ピックアップ及び増幅回路の動作を制御する制御回路とを具えている。そして、該制御回路は、
光ピックアップの出力を前記複数種類のレーザ光の内、何れか１種類のレーザ光に切り換えるレーザ切換え手段と、
前記増幅回路に所定のゲイン指令値を供給することによって、増幅回路のゲインを所定値に設定するゲイン設定手段と、
前記ゲインが所定値に設定されている状態で、光ピックアップの合焦点を探索するためのフォーカスサーチを実行して、フォーカスエラー信号のＳ字波形の振幅値を検出する振幅値検出手段と、
前記検出された振幅値と所定の閾値とを比較することによって、光ディスクの種類を判別するディスク判別手段
とを具えている。
【００１３】
上記本発明に係るディスク判別処理においては、先ず、光ピックアップの出力が複数種類のレーザ光の内、何れか１種類のレーザ光に切り換えられると共に、増幅回路に所定のゲイン指令値が供給されて増幅回路のゲインが所定値、例えば前記１種類のレーザ光の波長と光ディスクの種類とが適合した場合に、光ディスクが反射率の低いものであってもフォーカスエラー信号のＳ字波形が得られる大きな値に設定される。この状態で、フォーカスサーチが行なわれてフォーカスエラー信号のＳ字波形の振幅値が検出され、検出された振幅値と所定の閾値とが比較されることによってディスクの種類が判別される。ここで、前記１種類のレーザ光の波長と光ディスクの種類とが適合している場合にはフォーカスエラー信号の振幅値は大きくなり、不適合な場合にはフォーカスエラー信号の振幅値は小さくなる。又、上述の如く、ゲインは、レーザ光の波長と光ディスクの種類とが適合している場合に、光ディスクが反射率の低いものであってもフォーカスエラー信号のＳ字波形が得られる大きな値に設定されている。従って、フォーカスエラー信号の振幅値が所定の閾値を超えている場合には、光ディスクは前記１種類のレーザ光に対応するディスクであると判断することが出来る。かかる場合には、光ピックアップの出力を他の種類のレーザ光に切り換えて該レーザ光でフォーカスサーチを行なうことなく、その後の処理に移行することが出来、これによってディスクの判別に要する時間を短縮することが出来る。
【００１４】
具体的には、記録層の個数が異なる複数種類の光ディスクを再生することが可能であって、前記振幅値検出手段は、フォーカスエラー信号のＳ字波形の最大振幅値を検出し、前記ディスク判別手段は、最大振幅値の個数に基づいて光ディスクの種類を判別する。
【００１５】
複数の記録層を有する光ディスクにレーザ光を照射して、フォーカスサーチを行なった場合、複数の記録層に対応して、フォーカスエラー信号のＳ字波形に複数の最大振幅値が現れる。従って、最大振幅値の個数を検出すれば、光ディスクの種類を判別することが出来る。
【００１６】
又、具体的には、前記制御回路は、前記ゲインを最適値に調整するゲイン調整手段を具え、前記ディスク判別手段によってディスクの種類を判別した後、ゲイン調整手段によって前記ゲインを調整するものである。そして、前記振幅値検出手段は、フォーカスエラー信号のＳ字波形の最大振幅値を検出し、前記ゲイン調整手段は、
前記所定のゲイン指令値と振幅値検出手段によって検出された最大振幅値とに基づいて、目標とする振幅値に応じたゲイン指令値を算出する手段と、
算出されたゲイン指令値を前記増幅回路に供給することによって、該ゲイン指令値に応じた値をゲイン調整処理におけるゲインの初期値として設定する手段
とを具えている。
【００１７】
上記具体的構成においては、上記本発明に係るディスク判別処理が行なわれた後、前記ゲインを調整する処理が行なわれる。ゲイン調整処理においては、先ず、目標とする振幅値に応じたゲイン指令値が算出される。ここで、ゲイン指令値とフォーカスエラー信号のＳ字波形の振幅値との間には比例関係が成立し、かかる比例関係は、ディスクの反射率や光ピックアップの特性によって異なる。そこで、ディスク判別時に増幅回路に供給された前記所定のゲイン指令値と、振幅値検出手段によって検出された最大振幅値とから目標振幅値に応じたゲイン指令値が算出される。例えば、ゲイン指令値と振幅値を変数とする関数式を用いて、目標振幅値に応じたゲイン指令値が算出される。
この様にして算出されたゲイン指令値を増幅回路に供給すれば、増幅回路のゲインは最適値或いはその近傍値に設定されることとなり、かかるゲインを初期値としてゲイン調整処理を実行すれば、最適値の検索に要する時間を従来よりも短縮することが出来る。
【００１８】
本発明に係る第２のディスク再生装置は、光ピックアップの出力信号に基づいて作成されるフォーカスエラー信号を増幅する増幅回路と、該増幅回路のゲインを最適値に調整する制御回路とを具えている。そして、該制御回路は、
前記増幅回路に所定のゲイン指令値を供給することによって、増幅回路のゲインを所定値に設定するゲイン設定手段と、
前記ゲインが所定値に設定されている状態で、光ピックアップの合焦点を探索するためのフォーカスサーチを実行して、フォーカスエラー信号のＳ字波形の最大振幅値を検出する振幅値検出手段と、
前記所定のゲイン指令値と前記検出された最大振幅値とに基づいて、目標とする振幅値に応じたゲイン指令値を算出する演算処理手段と、
前記算出されたゲイン指令値を前記増幅回路に供給することによって、該ゲイン指令値に応じた値をゲイン調整処理におけるゲインの初期値として設定する初期値設定手段
とを具えている。
【００１９】
上記本発明に係るゲイン調整処理においては、先ず、増幅回路に所定のゲイン指令値が供給されて増幅回路のゲインが所定値に設定され、この状態で、フォーカスサーチが行なわれてフォーカスエラー信号のＳ字波形の最大振幅値が検出される。その後、目標とする振幅値に応じたゲイン指令値が算出される。ここで、ゲイン指令値とフォーカスエラー信号のＳ字波形の振幅値との間には比例関係が成立し、かかる比例関係は、ディスクの反射率や光ピックアップの特性によって異なる。そこで、前記供給された所定のゲイン指令値と前記検出された最大振幅値とから目標振幅値に応じたゲイン指令値が算出される。
この様にして算出されたゲイン指令値を増幅回路に供給すれば、増幅回路のゲインは最適値或いはその近傍値に設定されることとなり、かかるゲインを初期値としてゲイン調整処理を実行すれば、最適値の検索に要する時間を従来よりも短縮することが出来る。
【００２０】
具体的には、複数の記録層を有する光ディスクを再生することが可能であって、前記制御回路は、各記録層を対象として前記ゲイン調整処理を実行するものであり、前記演算処理手段は、１つの記録層を対象とするゲイン調整処理において、他の記録層を対象とするゲイン調整処理において増幅回路に供給されたゲイン指令値とゲイン調整処理の対象となっている記録層について検出された最大振幅値とに基づいて目標振幅値に応じたゲイン指令値を算出する。
【００２１】
上述の如く、複数の記録層を有する光ディスクにレーザ光を照射してフォーカスサーチを行なった場合には、複数の記録層に対応して、フォーカスエラー信号のＳ字波形に複数の最大振幅値が現れる。そこで、複数の記録層の内、１つの記録層を対象とするゲイン調整処理において、他の記録層を対象とするゲイン調整処理において増幅回路に供給されたゲイン指令値と、ゲイン調整処理の対象となっている記録層について検出された最大振幅値とに基づいて、目標振幅値に応じたゲイン指令値が算出される。従って、ゲインを所定値に設定する処理、及びフォーカスエラー信号の最大振幅値を検出する処理は不要であり、ゲイン調整処理を行なう度にゲインを所定値に設定して最大振幅値を検出する構成に比べて短時間で複数の記録層についてゲインを調整することが出来る。
【００２２】
【発明の効果】
本発明に係るディスク再生装置によれば、従来よりも短時間で信号再生に移ることが出来る。
【００２３】
【発明の実施の形態】
以下、ＣＤとＤＶＤを再生することが出来るディスクプレーヤに本発明を実施した形態につき、２つの実施例に基づいて具体的に説明する。尚、ＣＤには、音楽用ＣＤ、ＣＤ−Ｒ及びＣＤ−ＲＷが存在し、ＤＶＤには、１つの記録層を有するＤＶＤ−Ｖｉｄｅｏ、ＤＶＤ−Ｒ、ＤＶＤ−ＲＷ、及び２つの記録層を有するＤＶＤ−Ｖｉｄｅｏが存在する。本発明に係るディスク再生装置は、これらのディスクを互換性をもって再生することが出来る様、構成されている。
回路構成
本発明に係るディスク再生装置は、図１に示す如く、光ディスク（１）の信号面に対向して配備された光ピックアップ（２）と、光ディスク（１）を回転駆動するスピンドルモータ（５）と、光ピックアップ（２）のフォーカシング機構を駆動すると共にスピンドルモータ（５）を駆動するドライブ回路（６）と、光ピックアップ（２）からＲＦアンプ（３）を経て得られるＲＦ信号に基づいてスピンドルサーボを実行すると共に、光ピックアップ（２）からＲＦアンプ（３）を経て得られるフォーカスエラー信号及びトラッキングエラー信号に基づいてフォーカスサーボ及びトラッキングサーボを実行するＤＳＰ（４）を具えている。ＲＦアンプ（３）及びＤＳＰ（４）は、マイクロコンピュータ（７）に接続されている。
光ピックアップ（２）は、ＣＤに照射すべき赤色レーザ光を発するＣＤレーザと、ＤＶＤに照射すべき赤色レーザ光を発するＤＶＤレーザとを具えている。
【００２４】
マイクロコンピュータ（７）からＤＳＰ（４）に対してフォーカスサーチ指令が発せられると、ＤＳＰ（４）からドライブ回路（６）にフォーカスドライブ信号が供給され、ドライブ回路（６）では、フォーカス駆動信号が作成されて光ピックアップ（２）に出力される。
ＤＳＰ（４）では、上述の如く光ピックアップ（２）からＲＦアンプ（３）を経て得られるフォーカスエラー信号に基づいて、フォーカスサーチによって得られるＳ字波形のＳ字ピーク値が検知され、その結果がマイクロコンピュータ（７）に供給される。マイクロコンピュータ（７）では、該Ｓ字ピーク値に基づいてディスクの判別が行なわれる。
又、マイクロコンピュータ（７）では、ＳＧＣ電圧制御信号が作成されてＤＳＰ（４）に供給され、ＤＳＰ（４）は、該ＳＧＣ電圧制御信号に応じて、ＲＦアンプ（３）に印加するＳＧＣ電圧の大きさを調整する。ＳＧＣゲインは、このＳＧＣ電圧の大きさに応じて変化する。
【００２５】
第１実施例
図３乃至図５は、本実施例のディスク再生装置の起動時に実行されるディスク判別及びＳＧＣ調整の手続きを表わしている。尚、上記ＤＳＰ（４）のＡ／Ｄ変換器（図示省略）は、フォーカスエラー信号の振幅値が所定値ＣＬを超えると、フォーカスエラー信号の振幅値に拘わらず、所定値ＣＬを出力する様、設定されており、以下の説明では、フォーカスエラー信号の振幅値が所定値ＣＬを超えることをクリップするというと共に、該所定値ＣＬをクリップ境界値という。又、マイクロコンピュータ（７）の内蔵メモリ（図示省略）には、ＳＧＣ電圧値とＳ字ピーク値を変数とする一次式が格納されている。
【００２６】
装置本体に電源が投入されると、先ずフォーカスオフセット調整が行なわれ、このフォーカスオフセット調整が終了すると、図３のステップＳ１にてＤＶＤレーザをオンに設定した後、ステップＳ２では、ＳＧＣゲインを所定値ＤＶＤＧｊに設定する。ここで、所定値ＤＶＤＧｊは、反射率の低いＤＶＤに対しＤＶＤレーザを照射してフォーカスサーチを実行した場合であってもフォーカスエラー信号のＳ字波形が得られる大きな値をとる。
次にステップＳ３では、フォーカスサーチを実行して、フォーカスエラー信号のＳ字波形に現れる第１及び第２のＳ字ピーク値ｐｋ１、ｐｋ２を検出する。ここで、フォーカスエラー信号のＳ字波形に２つのＳ字ピーク値が現れない場合には、第２Ｓ字ピーク値ｐｋ２は０となる。続いてステップＳ４では、第２Ｓ字ピーク値ｐｋ２が０より大きいか否かを判断し、イエスと判断された場合はステップＳ５にて、光ディスクは２層ＤＶＤであると判定した後、図４に示すＳＧＣ調整処理に移行する。
【００２７】
一方、図３のステップＳ４にてノーと判断された場合には、ステップＳ６に移行して、前記第１Ｓ字ピーク値ｐｋ１が所定のクリップ境界値ＣＬと等しいか否かを判断する。ここで、ＤＶＤに対しＤＶＤレーザを照射してフォーカスサーチを行なった場合には、フォーカスエラー信号のＳ字波形は振幅の大きなものとなり、ＣＤに対しＤＶＤレーザを照射してフォーカスサーチを行なった場合には、フォーカスエラー信号のＳ字波形は大幅に振幅の小さなものとなる。又、ＳＧＣゲインは、上述の如く反射率の低いＤＶＤに対しＤＶＤレーザを照射した場合であってもフォーカスエラー信号のＳ字波形が得られる大きな値に設定されている。従って、フォーカスエラー信号がクリップした場合、即ちＳ字ピーク値がクリップ境界値ＣＬと等しい場合には、光ディスクはＤＶＤであると判断することが出来る。そこで、ステップＳ６にてイエスと判断された場合には、ステップＳ１４に移行して、光ディスクは単層ＤＶＤであると判定した後、図４に示すＳＧＣ調整処理に移行する。
【００２８】
これに対し、ステップＳ６にてノーと判断された場合には、ステップＳ７に移行して、ＤＶＤレーザをオフに設定した後、ステップＳ８にてＣＤレーザをオンに設定し、続いてステップＳ９にて、ＳＧＣゲインを所定値ＣＤＧｊに設定する。ここで、所定値ＣＤＧｊは、反射率の低いＣＤに対しＣＤレーザを照射してフォーカスサーチを実行した場合であってもフォーカスエラー信号のＳ字波形が得られる大きな値をとる。
次にステップＳ１０では、フォーカスサーチを実行して、フォーカスエラー信号に現れる１つのＳ字ピーク値ｐｋ０を検出した後、ステップＳ１１にて、該Ｓ字ピーク値ｐｋ０とＤＶＤレーザのオン時に検出した前記第１Ｓ字ピーク値ｐｋ１とを比較する。ＣＤレーザのオン時に検出したＳ字ピーク値ｐｋ０がＤＶＤレーザのオン時に検出したＳ字ピーク値ｐｋ１よりも大きい場合には、ステップＳ１５に移行して、光ディスクはＣＤであると判定した後、図５に示すＳＧＣ調整処理に移行する。一方、ＤＶＤレーザのオン時に検出した第１Ｓ字ピーク値ｐｋ１がＣＤレーザのオン時に検出したＳ字ピーク値ｐｋ０よりも大きい場合には、図４のステップＳ１２に移行してＣＤレーザをオフに設定した後、ステップＳ１３にてＤＶＤレーザをオンに設定し、ステップＳ１４にて光ディスクは単層ＤＶＤであると判定した後、図４に示すＳＧＣ調整処理に移行する。
【００２９】
光ディスクが２層ＤＶＤ或いは単層ＤＶＤであると判定された後のＳＧＣ調整処理においては、図４に示す如く、先ずステップＳ１６にて、ＤＶＤレーザのオン時に検出した第１ピーク値ｐｋ１がクリップ境界値ＣＬと等しいか否かを判断し、イエスと判断された場合には、ステップＳ１７に移行して、ＳＧＣゲインの初期値を所定値ＤＶＤＧ０に設定する。ここで、所定値ＤＶＤＧ０は、上述のディスク判別時に設定された値、即ち図３のステップＳ２にて設定した所定値ＤＶＤＧｊよりも小さな値をとる。
【００３０】
一方、ステップＳ１６にてノーと判断された場合には、ステップＳ１８に移行して、図３のステップＳ２にて設定したＳＧＣ電圧値とステップＳ３にて検出したＳ字ピーク値ｐｋ１とに基づいて、内蔵メモリに格納されている前記一次式から、目標とするＳ字ピーク値、例えばクリップ境界値ＣＬの８０％の値に応じたＳＧＣ電圧値を算出し、ＳＧＣゲインの初期値を該算出したＳＧＣ電圧値に応じた値ＤＶＤＧ１に設定する。ここで、ＳＧＣ電圧の大きさとＳ字ピーク値との間には、図２に示す如く比例関係が成立し、かかる比例関係は光ディスクの反射率や光ピックアップの特性によって異なるため、目標とするＳ字ピーク値に応じたＳＧＣ電圧値は、ディスク判別時に設定されたＳＧＣ電圧値と検出されたＳ字ピーク値ｐｋ１とに基づいて算出される。
この様にして、ＳＧＣゲインの初期値が最適値或いはその近傍値に設定されることになる。
【００３１】
その後、ステップＳ１９では、１つの記録層についてＳＧＣゲインの最適値を検索してＳＧＣゲインを該最適値に設定する処理を実行すると共に、ＳＧＣ電圧値が最適値に設定されている状態でフォーカスサーチを実行して、フォーカスエラー信号のＳ字波形に現れる第１及び第２のＳ字ピーク値ｐｋ１′、ｐｋ２′を検出する。
次にステップＳ２０では、第２Ｓ字ピーク値ｐｋ２′が０よりも大きいか否かを判断し、ノーと判断された場合は、ステップＳ２１にて光ディスクは単層ＤＶＤであると判定して、手続きを終了する。その後、フォーカスイン動作を実行した後、単層ＤＶＤの再生動作の開始に待機する。
【００３２】
これに対し、ステップＳ２０にてイエスと判断された場合には、ステップＳ２２にて光ディスクは２層ＤＶＤであると判定した後、ステップＳ２３に移行して、前記第２Ｓ字ピーク値ｐｋ２′がクリップ境界値ＣＬと等しいか否かを判断する。ここで、イエスと判断された場合には、図３のステップＳ２にて設定したＳＧＣ電圧値とステップＳ３にて検出した第２Ｓ字ピーク値ｐｋ２とに基づいて、上述の一次式から、目標とするＳ字ピーク値に応じたＳＧＣ電圧値を算出し、ＳＧＣゲインの初期値を該算出したＳＧＣ電圧値に応じた値ＤＶＤＧ２に設定する。この様にして、ＳＧＣゲインの初期値が最適値或いはその近傍値に設定されることになる。
【００３３】
ステップＳ２３にてノーと判断された場合には、ステップＳ１９にて設定した最適ＳＧＣ電圧値と検出した第２Ｓ字ピーク値ｐｋ２′とに基づいて、上述の一次式から、目標とするＳ字ピーク値に応じたＳＧＣ電圧値を算出し、ＳＧＣゲインの初期値を該算出したＳＧＣ電圧値に応じた値ＤＶＤＧ３に設定する。この様にして、ＳＧＣゲインの初期値が最適値或いはその近傍値に設定されることになる。
その後、ステップＳ１９にてＳＧＣゲインを最適値に設定した記録層とは異なる他方の記録層についてＳＧＣゲインの最適値を検索してＳＧＣゲインを該最適値に設定する処理を実行し、手続きを終了する。その後、フォーカスイン動作を実行した後、２層ＤＶＤの再生動作の開始に待機する。
【００３４】
光ディスクがＣＤであると判定された後のＳＧＣ調整処理においては、図５に示す如く、先ずステップＳ２７にて、ＣＤレーザのオン時に検出したＳ字ピーク値、即ち図３のステップＳ１０にて検出したＳ字ピーク値ｐｋ０がクリップ境界値ＣＬと等しいか否かを判断し、イエスと判断された場合には、ステップＳ２８に移行して、ＳＧＣゲインの初期値を所定値ＣＤＧ０に設定する。ここで、所定値ＣＤＧ０は、上述のディスク判別時に設定された値、即ち図３のステップＳ９にて設定した所定値ＣＤＧｊよりも小さな値をとる。
【００３５】
一方、ステップＳ２７にてノーと判断された場合には、図３のステップＳ９にて設定したＳＧＣ電圧値とステップＳ１０にて検出したＳ字ピーク値ｐｋ０とに基づいて、上述の一次式から、目標とするＳ字ピーク値に応じたＳＧＣ電圧値を算出し、ＳＧＣゲインの初期値を該算出したＳＧＣ電圧値に応じた値ＣＤＧ１に設定する。この様にして、ＳＧＣゲインの初期値が最適値或いはその近傍値に設定されることになる。
その後、ステップＳ３０では、ＳＧＣゲインの最適値を検索してＳＧＣゲインを該最適値に設定する処理を実行し、手続きを終了する。その後、フォーカスイン動作を実行した後、ＣＤの再生動作の開始に待機する。
【００３６】
図６及び図７は、本実施例のディスク再生装置の起動時に得られるフォーカスエラー信号及びフォーカスドライブ信号の波形を表わしており、図８及び図９は、従来のディスク再生装置の起動時に得られるフォーカスエラー信号及びフォーカスドライブ信号の波形を表わしている。図６乃至図９において、上側の波形はフォーカスエラー信号の波形、下側の波形はフォーカスドライブ信号の波形を表わしている。
従来のディスク再生装置に単層ＤＶＤをセットした場合には、図８に示す如く、フォーカスオフセット調整の開始からフォーカスイン動作の開始までに２．９８０秒と長い時間がかかるのに対し、本実施例のディスク再生装置に単層ＤＶＤをセットした場合には、図６に示す如く、フォーカスオフセット調整の開始からフォーカスイン動作の開始までの時間は１．２５０秒と短い。
又、従来のディスク再生装置にＣＤをセットした場合には、図９に示す如く、フォーカスオフセット調整の開始からフォーカスイン動作の開始までに３．３５０秒と長い時間がかかるのに対し、本実施例のディスク再生装置にＣＤをセットした場合には、図７に示す如く、フォーカスオフセット調整の開始からフォーカスイン動作の開始までの時間は１．８２０秒と短い。
【００３７】
本実施例のディスク再生装置においては、ＤＶＤが装置本体にセットされて図３のステップＳ４或いはステップＳ６にてイエスと判断された場合には、ＣＤレーザをオンに設定することなく、その後のＳＧＣ調整処理に移行するので、ＤＶＤレーザ及びＣＤレーザを順次オンに切り換える従来のディスク再生装置に比べてディスク判別処理に要する時間が短縮される。又、ＳＧＣ調整処理においては、上述の如くＳＧＣゲインの初期値が最適値或いはその近傍値に設定されるので、従来のディスク再生装置に比べてＳＧＣゲインの最適値の検索に要する時間が短縮され、これによってＳＧＣ調整処理に要する時間が短縮される。この様にディスク判別処理及びＳＧＣ調整処理に要する時間を短縮することによって、システムの起動後、従来よりも短時間で信号再生に移ることが出来る。
【００３８】
又、２層ＤＶＤが装置本体にセットされた場合には、２層目の記録層についてＳＧＣ電圧の初期値を算出する際、１層目の記録層を対象とするＳＧＣ調整処理において設定された最適ＳＧＣ電圧値と検出されたＳ字ピーク値とを用いるので、改めてＳＧＣ電圧値を所定値に設定してＳ字ピーク値を検出する処理を行なう構成よりも短時間でＳＧＣ電圧の初期値を算出することが出来、短時間で２つの記録層についてＳＧＣゲインを調整することが出来る。
【００３９】
第２実施例
第１実施例のディスク再生装置は、ディスクの判別処理においてＤＶＤレーザをオンに設定した後にＣＤレーザをオンに設定するものであるのに対し、第２実施例のディスク再生装置は、ＣＤレーザをオンに設定した後にＤＶＤレーザをオンに設定するものである。
【００４０】
図１０乃至図１２は、本実施例のディスク再生装置の起動時に実行されるディスク判別及びＳＧＣ調整の手続きを表わしており、先ずステップＳ３１にてＣＤレーザをオンに設定した後、ステップＳ３２では、ＳＧＣゲインを所定値ＣＤＧｊに設定する。ここで、所定値ＣＤＧｊは、反射率の低いＣＤに対しＣＤレーザを照射してフォーカスサーチを実行した場合であってもフォーカスエラー信号のＳ字波形が得られる大きな値をとる。
次にステップＳ３３では、フォーカスサーチを実行して、フォーカスエラー信号のＳ字波形に現れる１つのＳ字ピーク値ｐｋ０を検出した後、ステップＳ３４では、Ｓ字ピーク値ｐｋ０が所定のクリップ境界値ＣＬと等しいか否かを判断する。ここで、ＣＤに対しＣＤレーザを照射してフォーカスサーチを行なった場合にはフォーカスエラー信号のＳ字波形は振幅の大きなものとなり、ＤＶＤに対しＣＤレーザを照射してフォーカスサーチを行なった場合にはフォーカスエラー信号のＳ字カーブは、大幅に振幅の小さなものとなる。又、ＳＧＣゲインは、上述の如く反射率の低いＣＤに対しＣＤレーザを照射した場合であってもフォーカスエラー信号のＳ字波形が得られる大きな値に設定されている。従って、フォーカスエラー信号がクリップした場合、即ちフォーカスエラー信号のＳ字ピーク値がクリップ境界値ＣＬと等しい場合には、光ディスクはＣＤであると判断することが出来る。そこで、ステップＳ３４にてイエスと判断された場合には、ステップＳ４３に移行して、光ディスクはＣＤであると判定した後、図１１に示すＳＧＣ調整処理に移行する。
【００４１】
これに対し、ステップＳ３４にてノーと判断された場合には、ステップＳ３５に移行して、ＣＤレーザをオフに設定した後、ステップＳ３６にてＤＶＤレーザをオンに設定し、続いてステップＳ３７にて、ＳＧＣゲインを所定値ＤＶＤＧｊに設定する。ここで、所定値ＤＶＤＧｊは、反射率の低いＤＶＤに対しＤＶＤレーザを照射してフォーカスサーチを実行した場合であってもフォーカスエラー信号のＳ字波形が得られる大きな値をとる。
次にステップＳ３８では、フォーカスサーチを実行して、フォーカスエラー信号のＳ字波形に現れる第１及び第２のＳ字ピーク値ｐｋ１、ｐｋ２を検出する。続いてステップＳ３９では、第２Ｓ字ピーク値ｐｋ２が０より大きいか否かを判断し、イエスと判断された場合はステップＳ４４にて、光ディスクは２層ＤＶＤであると判定した後、図１２に示すＳＧＣ調整処理に移行する。尚、図１２に示すＳＧＣ調整処理は、図４に示す第１実施例のＳＧＣ調整処理と同一であるので説明は省略する。
【００４２】
これに対し、図１０のステップＳ３９にてノーと判断された場合には、ステップＳ４０に移行して、ＣＤレーザのオン時に検出した前記Ｓ字ピーク値ｐｋ０とＤＶＤレーザのオン時に検出した前記第１Ｓ字ピーク値ｐｋ１とを比較する。ＣＤレーザのオン時に検出したＳ字ピーク値ｐｋ０がＤＶＤレーザのオン時に検出したＳ字ピーク値ｐｋ１よりも大きい場合には、ステップＳ４１に移行して、ＤＶＤレーザをオフに設定した後、ステップＳ４２にてＣＤレーザをオンに設定し、ステップＳ４３に移行して、光ディスクはＣＤであると判定した後、図１１に示すＳＧＣ調整処理に移行する。尚、図１１に示すＳＧＣ調整処理は、図５に示す第１実施例のＳＧＣ調整処理と同一であるので説明は省略する。
一方、ＤＶＤレーザのオン時に検出した第１Ｓ字ピーク値ｐｋ１がＣＤレーザのオン時に検出したＳ字ピーク値ｐｋ０よりも大きい場合には、図１０のステップＳ４５に移行して、光ディスクは単層ＤＶＤであると判定した後、図１２に示すＳＧＣ調整処理に移行する。
【００４３】
本実施例のディスク再生装置においては、ＣＤが装置本体にセットされて図１０のステップＳ３４にてイエスと判断された場合には、ＤＶＤレーザをオンに設定することなく、その後のＳＧＣ調整処理に移行するので、従来のディスク再生装置に比べてディスク判別処理に要する時間が短縮される。又、ＳＧＣ調整処理においては、図１１のステップＳ４８、図１２のステップＳ５２、ステップＳ５８及びステップＳ５９にてＳＧＣゲインの初期値が最適値或いはその近傍値に設定されるので、従来のディスク再生装置に比べてＳＧＣゲインの最適値の検索に要する時間が短縮され、これによってＳＧＣ調整処理に要する時間が短縮される。この様にディスク判別処理及びＳＧＣ調整処理に要する時間を短縮することによって、システムの起動後、従来よりも短時間で信号再生に移ることが出来る。
【００４４】
尚、本発明の各部構成は上記実施の形態に限らず、特許請求の範囲に記載の技術的範囲内で種々の変形が可能である。
例えば第１実施例においては、２層目の記録層についてＳＧＣ電圧の初期値を算出する際、１層目の記録層を対象とするＳＧＣ調整処理において設定された最適ＳＧＣ電圧値及び検出された第２Ｓ字ピーク値を用いているが、ディスク判別処理において設定されたＳＧＣ電圧値及び検出された第２ピーク値、即ち図３のステップＳ２にて設定したＳＧＣ電圧値及びステップＳ３にて検出した第２Ｓ字ピーク値ｐｋ２を用いることも可能である。
又、第１実施例及び第２実施例においては、ＳＧＣ電圧値とＳ字ピーク値とに基づいて目標とするＳ字ピーク値に応じたＳＧＣ電圧値を算出する構成を採用しているが、これに限らず、ＳＧＣゲインとＳ字ピーク値とに基づいて目標とするＳ字ピーク値に応じたＳＧＣゲインを算出する構成を採用することも可能である。
【図面の簡単な説明】
【図１】本発明に係るディスク再生装置の構成を表わすブロック図である。
【図２】ＳＧＣ電圧の大きさとフォーカスエラー信号のＳ字波形のＳ字ピーク値との関係を表わすグラフである。
【図３】第１実施例のディスク再生装置の起動時に実行されるディスク判定及びＳＧＣ調整の手続きの第１部を表わすフローチャートである。
【図４】上記手続きの第２部を表わすフローチャートである。
【図５】上記手続きの第３部を表わすフローチャートである。
【図６】第１実施例のディスク再生装置に単層ＤＶＤをセットしてシステムを起動した場合に得られるフォーカスエラー信号及びフォーカスドライブ信号の変化を表わす波形図である。
【図７】上記ディスク再生装置にＣＤをセットしてシステムを起動した場合に得られるフォーカスエラー信号及びフォーカスドライブ信号の変化を表わす波形図である。
【図８】従来のディスク再生装置に単層ＤＶＤをセットしてシステムを起動した場合に得られるフォーカスエラー信号及びフォーカスドライブ信号の変化を表わす波形図である。
【図９】上記ディスク再生装置にＣＤをセットしてシステムを起動した場合に得られるフォーカスエラー信号及びフォーカスドライブ信号の変化を表わす波形図である。
【図１０】第２実施例のディスク再生装置の起動時に実行されるディスク判別及びＳＧＣ調整の手続きの第１部を表わすフローチャートである。
【図１１】上記手続きの第２部を表わすフローチャートである。
【図１２】上記手続きの第３部を表わすフローチャートである。
【図１３】従来のディスク再生装置の起動時に実行されるディスク判別及びＳＧＣ調整の手続きの第１部を表わすフローチャートである。
【図１４】上記手続きの第２部を表わすフローチャートである。
【図１５】上記手続きの第３部を表わすフローチャートである。
【図１６】２層ＤＶＤのフォーカスエラー信号の変化を表わす波形図である。
【符号の説明】
（１）  光ディスク
（２）  光ピックアップ
（３）  ＲＦアンプ
（４）  ＤＳＰ
（５）  スピンドルモータ
（６）  ドライブ回路
（７）  マイクロコンピュータ
【図１】
2004234789.tif 000003
【図２】
2004234789.tif 000004
【図３】
2004234789.tif 000005
【図４】
2004234789.tif 000006
【図５】
2004234789.tif 000007
【図６】
2004234789.tif 000008
【図７】
2004234789.tif 000009
【図８】
2004234789.tif 000010
【図９】
2004234789.tif 000011
【図１０】
2004234789.tif 000012
【図１１】
2004234789.tif 000013
【図１２】
2004234789.tif 000014
【図１３】
2004234789.tif 000015
【図１４】
2004234789.tif 000016
【図１５】
2004234789.tif 000017
【図１６】
2004234789.tif 000018